(57)【特許請求の範囲】
【請求項１】
断熱材が発泡充填された断熱側壁と、この断熱側壁の上面に開口形成された溝と、この溝内に下端部が挿入されて前記断熱側壁上面に立設された側板と、この側板に当接する扉と、前記溝内中央部に挿入されたスペーサと、前記側板の下端部中央に形成され、当該下端部が前記溝内に挿入されたときに前記スペーサを回避する切欠部とを備えたことを特徴とする低温ショーケース。
【発明の詳細な説明】
【０００１】
【発明の属する技術分野】
本発明は、断熱壁の上面に側板を取り付けた低温ショーケースに関するものである。
【０００２】
【従来の技術】
従来この種低温ショーケースは、例えば特公昭６３−３７３０５号公報（Ｆ２５Ｄ２３／００）に示されるように、断熱壁（基板）の両側に側壁を取り付けて断熱箱体を構成しており、この側壁上部には庫内を透視できるように透明壁から成る側板が取り付けられている。
【０００３】
【発明が解決しようとする課題】
この場合、側板は側壁上面に形成された溝から側壁内にその下端部が挿入されると共に、ボルト締めにて固定されるものであったが、側壁の溝は、温度差による断熱材の収縮などによる応力により変形を生じる。この溝の変形によって側板の下部が少許傾くだけで側板の上部は大きく傾斜することになるため、側板に当接する扉と当該側板との間に隙間が生じ、冷気漏れが生じて冷却効果が低下すると共に、外気の侵入によって着霜が成長し、見苦しくなる問題があった。
【０００４】
本発明は、係る従来の技術的課題を解決するために成されたものであり、側板の傾斜を極力抑えることができる低温ショーケースを提供することを目的とする。
【０００５】
【課題を解決するための手段】
本発明の低温ショーケースは、断熱材が発泡充填された断熱側壁と、この断熱側壁の上面に開口形成された溝と、この溝内に下端部が挿入されて断熱側壁上面に立設された側板と、この側板に当接する扉と、溝内中央部に挿入されたスペーサと、側板の下端部中央に形成され、当該下端部が溝内に挿入されたときにスペーサを回避する切欠部とを備えたものである。
【０００６】
本発明によれば、断熱材が発泡充填された断熱側壁と、この断熱側壁の上面に開口形成された溝と、この溝内に下端部が挿入されて断熱側壁上面に立設された側板と、この側板に当接する扉とを備えた低温ショーケースにおいて、溝内中央部にスペーサを挿入すると共に、側板の下端部中央には、当該下端部が溝内に挿入されたときにスペーサを回避する切欠部を形成したので、断熱材から溝中央部に集中する応力による溝の変形がスペーサにて有効に抑えられ、更に、切欠部により当該変形が側板に与える影響を回避することができるようになる。
【０００７】
これにより、側板の傾斜を効果的に防止若しくは抑制することが可能となり、扉との間に生じる隙間による冷却効果の低下や着霜の発生による外観などの悪化を効果的に防止することができるようになる。一方で、側板下端部の両側は溝内に挿入されて保持されるので、側板の取付強度にも支障が生じないものである。
【０００８】
【発明の実施の形態】
以下、図面に基づき本発明の実施形態を詳述する。図１は本発明の低温ショーケース１の斜視図、図２は他の実施例の低温ショーケース１の斜視図、図３は低温ショーケース１の側壁１０の前部の縦断正面図、図４は低温ショーケース１の断熱側壁１０のブレーカ１３の斜視図、図５は図１の低温ショーケース１の側板５１の側面図、図６は図２の低温ショーケース１の側板５１の側面図、図７は発泡直後におけるブレーカ１３の状態を示す斜視図である。
【０００９】
各図において、低温ショーケース１は例えばコンビニエンスストア等において、アイスクリーム等を陳列保存するために用いられるものであり、上方に開放した横長矩形状の断熱箱体２から本体が構成されている。この断熱箱体２は、断面略上向きコ字状の断熱壁５と、この断熱壁５の両側に取り付けられた断熱壁としての断熱側壁１０、１０とから構成されている。
【００１０】
そして、これら断熱壁５及び断熱側壁１０、１０で囲繞された空間に貯蔵室６が画成されると共に、断熱壁５の前壁５Ａ（及び又は後壁）上部には透明ガラス７が嵌め込まれて貯蔵室６内を透視可能としている。また、係る断熱箱体２の下部には機械室８が構成され、この機械室８内には冷却装置の冷凍サイクルを構成する圧縮機や凝縮器などが設置される。尚、９は機械室８の前面を開閉するパネルである。
【００１１】
貯蔵室６内には前記冷却装置の図示しない冷却器及び送風機が設置されており、この冷却器にて冷却された冷気を送風機によって貯蔵室６内に循環することにより、所定の冷凍温度に冷却するものである。
【００１２】
他方、前記断熱側壁１０は金属製の外板１１及び内板１２と、両板１１、１２の上端部を連結する硬質合成樹脂製のブレーカ１３と、これら両板１１、１２及びブレーカ１３とで囲繞された空間内に現場発泡方式にて充填された発泡ポリウレタンから成る断熱材１４とから構成されている。
【００１３】
前記ブレーカ１３の内端には前記内板１２の上端が挿入される下向きの係合溝１６が形成されており、外端には前記外板１１の上端が挿入される外向きの係合溝１７が形成されている。また、ブレーカ１３の幅方向の中央部には長手方向に渡って上面に開口する溝１８が一体に形成され、その左右にはネジ孔５６がそれぞれ四カ所ずつ形成されている。
【００１４】
この溝１８の入口の開口面積は後述する側板４１の断面積と略等しい寸法を有しているが、奥部の内寸は更に拡開されている。また、溝１８の上下方向の中央部における両外側面には二条のリブ１９、１９、２１、２１が突出形成されており、係合溝１７の下壁下面にもリブ２２が突出形成されている。
【００１５】
そして、上側のリブ１９と係合溝１６の内側壁間には、ブレーカ１３の外面に沿って鋼板製のナット板２３が保持されると共に、上側のリブ２１とリブ２２間にもブレーカ１３の外面に沿って鋼板製のナット板２４が保持されている。また、溝１８内の前後方向における中央部には図４に示す如くスペーサ５４が挿入されており、溝１８の開口よりも下方に位置してその間隔を保持する役目を果たす。尚、５７、５７は溝１８内の前後端部に取り付けられたスペーサである。
【００１６】
係るブレーカ１３の溝１８内には上方から例えば透明アクリル樹脂の厚板から成る側板５１の下端部を挿入する。この場合、図１の低温ショーケース１の側板５１は図５に示す如く前辺５１Ａが傾斜し、後辺５１Ｂが垂直に降下する略三角形状を呈しており、溝１８直上に位置する部分には貫通孔２６が３カ所穿設されている。また、側板５１の下端部の前後方向における中央は略台形状に切り欠かれてそこに切欠部５２が構成されており、それによって、その両側には下方に突出した突出部５３、５３が構成されている。
【００１７】
また、図２の低温ショーケース１の側板５１は図６に示す如く前後辺５１Ａ、５１Ｂの上部が近接するように傾斜した略山型を呈しており、同様に溝１８直上に位置する部分に貫通孔２６が３カ所穿設されている。また、側板５１の下端部の中央も略台形状に切り欠かれて、そこに切欠部５２が構成されており、それによって、その両側に下方に突出した突出部５３、５３が構成されている。
【００１８】
そして、上記切欠部５２が溝１８内のスペーサ５４に対応してそれを回避し、突出部５３、５３がスペーサ５４の前後において溝１８の奥部まで挿入されるかたちとなる。この溝１８から出た位置の側板５１の両側には断面略Ｌ字状のアングル材６１、６２が設けられる。これらアングル材６１、６２はブレーカ１３のネジ孔５６を貫通してナット板２３、２４に螺合するネジ６３、６４にてそれぞれブレーカ１３に固定されると共に、側板５１を両側から挟持する。
【００１９】
そして、両アングル材６１、６２は前記貫通孔２６を貫通するネジ６６にて近接され、それによって、側板５１を両側から締め付け保持する。また、内側のアングル材６１の上端と内板１２間には庫内カバー６８が取り付けられる。更に、外板１１上端には取付板７１がネジ止めされ、この取付板７１にはバンパー７２が係合固定される。このバンパー７２は側板５１の外側における断熱側壁１０上面を覆っており、その上端は側板５１に近接しているが、アングル材６２はこのバンパー７２と側板５１の間から上方に少許延在している。
【００２０】
このように両断熱側壁１０、１０の上面に立設された側板５１、５１の上端部間にはステンレス製の天板７４がこれもステンレス製の飾り７３、７３を介して側方からネジ止めされる。そして、図１の低温ショーケース１の場合には、天板７４の前縁と断熱壁５の前壁５Ａの透明ガラス７上縁にレールが形成され、このレールに透明アクリル樹脂板から成る四枚の扉７６・・・が左右に摺動自在に取り付けられる。
【００２１】
この扉７６は左右端で側板５１に当接し、中央においては相互に重合或いは突き合うことによって側板５１の前辺５１Ａ間における開口を開閉自在に閉塞すると共に、後辺５１Ｂは図示しないガラス板で閉塞される。尚、図２の低温ショーケース１の場合には、側板５１の前後辺５１Ａ、５１Ｂが同様の扉７６（形状は異なる）により開閉自在とされている。
【００２２】
次に、前記断熱側壁１０の組立手順を説明する。ブレーカ１３には前述の如く各ナット板７３、７４を取り付け、更に、このブレーカ１３によって外板１１と内板１２を連結する。その状態で図示しない発泡冶具内にセットし、両板１１、１２及びブレーカ１３とで囲繞される空間内に断熱材１４を発泡充填する。
【００２３】
この冶具にセットする際、ブレーカ１３の溝１８内には図示しない中子（冶具）が挿入され、間隔が保持される。発泡充填が終了したら、冶具から取り出し、次に溝１８内に図７に示す如きスペーサ７９を挿入する。ここで、発泡直後のブレーカ１３は断熱材１４から図７に破線で示す如き方向で発泡圧を受けるので、スペーサ７９を挿入することにより係る発泡圧による溝１８の変形を防止する。
【００２４】
次に、係る発泡圧が収まったところでスペーサ７９を溝１８から取り出し、今度は前記スペーサ５４を溝１８内に挿入する。次に、前述の如く側板５１の下端部を溝１８内に挿入してアングル材６１、６２とネジ６３、６４、６６にて側板５１を固定するものである。
【００２５】
このように完成された低温ショーケース１の貯蔵室６内が冷却されると、断熱側壁１０内の断熱材１４が収縮するため、ブレーカ１３に応力が作用する。この応力は主にブレーカ１３の溝１８の前後方向の中央部に集中するが、本発明ではスペーサ５４を挿入しているので、係る応力による溝１８の変形は有効に抑えられる。
【００２６】
また、側板５１の下端部中央にはスペーサ５４を回避する切欠部５２が形成され、その部分の側板５１は削除されているので、溝１８が仮に変形した場合にも当該変形が側板５１に与える影響を回避することができるようになる。
【００２７】
これにより、側板５１が内側（貯蔵室６方向）或いは外側に傾斜してしまうことを効果的に防止若しくは抑制することが可能となり、それに突き当たる扉７６との間に生じる隙間によって冷却効果が低下したり、着霜が発生して外観などが悪化してしまうことを効果的に防止することができるようになる。
【００２８】
一方、側板５１の下端部の両側にある突出部５３、５３は溝１８内に挿入されて保持されるので、側板５１の取付強度にも支障が生じない。
【００２９】
【発明の効果】
以上詳述した如く本発明によれば、断熱材が発泡充填された断熱側壁と、この断熱側壁の上面に開口形成された溝と、この溝内に下端部が挿入されて断熱側壁上面に立設された側板と、この側板に当接する扉とを備えた低温ショーケースにおいて、溝内中央部にスペーサを挿入すると共に、側板の下端部中央には、当該下端部が溝内に挿入されたときにスペーサを回避する切欠部を形成したので、断熱材から溝中央部に集中する応力による溝の変形がスペーサにて有効に抑えられ、更に、切欠部により当該変形が側板に与える影響を回避することができるようになる。
【００３０】
これにより、側板の傾斜を効果的に防止若しくは抑制することが可能となり、扉との間に生じる隙間による冷却効果の低下や着霜の発生による外観などの悪化を効果的に防止することができるようになる。一方で、側板下端部の両側は溝内に挿入されて保持されるので、側板の取付強度にも支障が生じないものである。
【図面の簡単な説明】
【図１】  本発明の低温ショーケースの斜視図である。
【図２】  本発明の他の実施例の低温ショーケースの斜視図である。
【図３】  本発明の低温ショーケースの側壁の前部の縦断正面図である。
【図４】  本発明の低温ショーケースの側壁のブレーカの斜視図である。
【図５】  図１の低温ショーケースの側板の側面図である。
【図６】  図２の低温ショーケースの側板の側面図である。
【図７】  発泡直後におけるブレーカの状態を示す斜視図である。
【符号の説明】
１  低温ショーケース
２  断熱箱体
５  断熱壁
１０  断熱側壁（断熱壁）
１１  外板
１２  内板
１３  ブレーカ
１４  断熱材
１８  溝
５１  側板
５２  切欠部
５４  スペーサ
【図１】
0003837234.tif 000002
【図２】
0003837234.tif 000003
【図３】
0003837234.tif 000004
【図４】
0003837234.tif 000005
【図５】
0003837234.tif 000006
【図６】
0003837234.tif 000007
【図７】
0003837234.tif 000008